(57)【要約】【課題】  実験台における天板上の左右方向で棚装置の設置位置を容易かつ迅速に変更でき、かつ、変更した位置で強固に固定することができる機能を備えた実験台を提供すること。【解決手段】  実験台LTにおける天板１の正面から見た左右方向に長溝4a〜5bを形成すると共に、その天板１上に載置する棚装置Ｓを、前記長溝4a〜5bに対向した当該棚装置Ｓの下端部においてその長溝4a〜5bの任意の位置を選択してそこに固定するようにした。【選択図】  図２
2006305465.tif 000002
【特許請求の範囲】
【請求項１】
実験台における天板の正面から見た左右方向に長溝を形成すると共に、その天板上に載置する棚装置を、前記長溝に対向した当該棚装置の下端部においてその長溝の任意の位置を選択してそこに固定するようにしたことを特徴とする実験台。
【請求項２】
長溝は、当該天板の左右方向において２以上に分割した長溝に形成するか、又は、貫通した長溝に形成した請求項１の実験台。
【請求項３】
長溝は、天板の厚さを貫通した溝、又は、天板の厚さ内に側面から見て断面略逆Ｔ状に形成した溝のいずれかで形成した請求項１又は２の実験台。
【請求項４】
長溝は、天板の前後幅方向において、少なくとも２本を平行に設けた請求項１〜３のいずれかの実験台。
【請求項５】
天板は、長溝の長さ方向において、少なくとも１個の透孔を明けた請求項１〜４のいずれかの実験台。
【請求項６】
天板の表面には、耐薬品性の膜層を備えた請求項１〜５のいずれかの実験台。
【請求項７】
膜層は、金属製の天板面にフッ素樹脂塗装により形成した請求項６の実験台。
【請求項８】
棚装置における棚板の外周には、落下防止柵として作用する部材を設置高さ可変に設けた請求項１〜７のいずれかの実験台。
【発明の詳細な説明】
【技術分野】
【０００１】
本発明は天板の上に、物品や機器，装置類などを載置或は収納などするための棚装置を備えた実験台に関する。
【背景技術】
【０００２】
従来から天板の上に収納部を含む棚装置を備えた実験台は、特許文献１〜５などにより公知である。公知の棚装置を天板上に備えた公知の実験台では、その棚装置を天板の左右幅（正面幅）一ぱいに設けたものが大半であるが、それは種々の物品や機器類等の収納性や設置性の効率を上げることを目的の一つとしているからである。
【０００３】
しかし、天板の正面幅一ぱいに棚装置が強固に固定して設けられた実験台では、その分、天板スペースが狭くなるほか、収納する物品や棚に載置する機器類等の大きさ（高さ）によっては、棚板の下に収まり切れないことがるため、使い勝手の面で却って不都合であることが指摘されている。
【０００４】
このような点に鑑み、例えば天板の左右幅（正面幅）の略１／２〜１／３程度の正面幅の棚装置を天板上に設置固定し、天板スペースを確保することも考えられるが、実験台はその性質上、薬剤や危険物を棚装置に載置したり、或は、種々の方式の超精密な質量分析機器などを棚装置の脇に設置したりすることがあるため、危険防止や耐震性などの目的でその棚装置を天板の右側又は左側、或は、中央などに、強固に固定して設けられることが多い。
【０００５】
しかし、天板の１／２〜１／３幅程度の棚装置でも、その棚装置を天板上に固定して設置してしまうと、実験台の上に設置する他の機器類や、実験台の上で使用する器具等の大きさ（幅や奥行き）などによっては、固定されている棚装置が邪魔になりスペース効率を上げることができないこともある。
この場合、前記棚装置を少し右側又は左側にずらせばよいが、棚装置が天板上に固定されていると、そのような事態に容易かつ迅速に対応できないという問題がある。また、棚装置を固定した実験台では、棚装置の脇などに搭載した機器類を別の機器器類など変更する場合、入替える機器類の大きさなどによっては上記の場合と同様の問題が生じることがある。
【特許文献１】特開２０００−１６７４１８号公報
【特許文献２】特開２００１−３４０７６６号公報
【特許文献３】特開２００１−３４０７６７号公報
【特許文献４】特開２００１−３４０７６８号公報
【特許文献５】特開２００１−３４０１４４号公報
【発明の開示】
【発明が解決しようとする課題】
【０００６】
そこで本発明では、実験台における天板上の左右方向で棚装置の設置位置を容易かつ迅速に変更でき、かつ、変更した位置で強固に固定することができる機能を備えた実験台を提供することを、課題とする。
【課題を解決するための手段】
【０００７】
上記課題を解決することを目的としてなされた本発明実験台の構成は、実験台における天板の正面から見た左右方向に長溝を形成すると共に、その天板上に載置する棚装置を、前記長溝に対向した当該棚装置の下端部においてその長溝の任意の位置を選択してそこに固定するようにしたことを特徴とするものである。
【０００８】
本発明では、上記構成において天板上の長溝を、当該天板の左右方向において２以上に分割した長溝に形成するか、又は、貫通した長溝に形成するかは、任意に選択することができる。
【０００９】
また、上記天板上に形成する長溝は、天板の厚さを貫通した溝、又は、天板の厚さ内にその上面側から通じた側断面略逆Ｔ状に形成した溝のいずれかであってもよい。また、前記長溝は、天板の前後幅方向において、少なくとも２本を平行に設けることが望ましい。更に、前記天板には、長溝の長さ方向において、少なくとも１個、望ましくは２個以上の透孔を明けておくことが望ましい。天板上への配線の引出しや天板上から廃液ダクトなどを天板下に通すためである。
【００１０】
天板を貫通した長溝に、棚装置における側板や側柱などの接地部を固定するときは、当該接地部をボルト，ナットのような緊締部材により固定する。また、天板の厚さ内に形成した断面略逆Ｔ状の長溝に前記接地部を固定するときは、逆Ｔ状の溝にスライド自在かつ抜去不能に支持させた固定用座付ボルトに前記接地部をナット止めすることなどによって固定する。
【００１１】
長溝を設けた実験台の天板の表面には、耐薬品性などの膜層を備えさせることが望ましい。膜層の形成には、シート状別部材の天板への貼着、或は、天板面へのラミネートや塗工などにより形成する。膜層の一例として、金属製の天板面にフッ素樹脂加工を施すことが、スリット加工が行い易く、耐薬品性の面でも費用対効果からみて優れている。
【００１２】
実験台の天板上に設置固定される棚装置においては、装着される棚板上面の前面側を除く三辺乃至四周には、落下防止柵を設けることが望ましい。また、その棚は、横バー部材を高さ可変に設けることにより形成し、機器類から出るチューブ等の位置（高さ）に対応して当該チューブの挿通を容易にするほか、棚板上に載置したり設置する物品などに応じた効果的な落下防止作用が得られる。なお、装備される棚板は引出し式、或は、固定式のいずれであってもよい。
【発明の効果】
【００１３】
本発明の実験台は、実験台の天板の正面から見た左右方向に、長溝を形成すると共に、天板上に載置する棚装置を、前記長溝に対向した棚装置の下端部において当該長溝上の任意の位置を選択してその位置に固定するようにしたから、実験台の天板上で左右に設置位置を容易かつ迅速に変更でき、かつ、変更した位置で強固に固定することができる。
【発明を実施するための最良の形態】
【００１４】
次に、本発明実験台の実施の形態例について、図を参照しつつ説明する。図１は本発明実験台の一例の正面図、図２は図１の実験台の平面図、図３は図１，図２の実験台の右側面図、図４は図１の棚装置を天板の中央に移動した例の正面図、図５は本発明実験台の天板の裏面側の形態を例示した平面図、図６は天板の長溝における棚装置との結合状態を説明するための要部の側断面図、図７は図６のＡ部の拡大図、図８は本発明実験台に載置した棚装置における棚板の一例の正面図、図９は図８の棚板の右側面図、図10は図９のＢ部の拡大側面図である。
【００１５】
図１〜図４において、LTは本発明実験台で、天板１を左右の脚部材２，３で支持したテーブル部Ｔと、前記天板１の左側に固定的に設置した棚装置Ｓとから成る。なお、2a，3aはロックストッパ付のキャスタである。また、棚装置Ｓについては、図６〜図９を参照して、後に詳述する。
【００１６】
図示した実験台１において棚装置Ｓの右側には、重量が約100kg重前後の液体ガスクロマトグラフィーLCと質量分析計MSが並んで設置されている。また、テーブル部Ｔにおける天板１の下方空間には、電源Ｅ，ポンプＰ，廃液ボルトＢが配置されていると共に、出入れ自在のパソコン用ワゴンＷの上にパソコン本体PCとプリンタPrとが配置されている。ｔは天板下の小引出しである。
【００１７】
図１〜図4において、棚装置Ｓは、側面から見て縦長口字状の左右側枠フレームsFに、上，下２段の棚板sB1，sB2が架設されてここでの棚装置Ｓを形成しており、上の棚板sB1には薬液ボトルｂが、下の棚板sB2の下側には、パソコンPCのディスプレイLdが配置されている。
【００１８】
本発明実験台LTは、図２に概略を例示し、図５に詳細に示したように、天板１の内奥側の左右方向に、前後２列で左右２組のスリット状の溝4a，4bと同5a，5bとが形成され、この溝4a〜5bに沿って棚装置Ｓを天板１の上で左右方向に移動させ、任意の移動地点の位置で固定できる構成を具備している。この点について、図５と図６を参照して説明する。
【００１９】
図５は、本発明実験台LTにおける天板１の裏面側の形態を例示したもので、天板１の長さ方向（正面幅の方向）には、平行なリブ状の補強部材1aが、図の例では６本設けられている。そして、一番奥側の補強部材1aとそれに隣接した補強部材1a´の間、及び、そこから約300mm程度隔離した３番目と４番目の補強部材1aと1a´は、狭い間隔に形成され、狭い間隔の２本の補強部材1aと1a´で挟まれた部位の天板１に、その天板１の中央部位で分離した左，右で２組のスリット状の溝4a，4bと溝5a，5bが形成されている。本発明において、天板１に形成するスリット状の溝は、上記例のように左右で２組に限られるものではなく、左右で４組、或は、それ以外の組数であってもよい。また、前記スリット状の溝は天板１の前後方向に関し２本設けた例であるが、本発明では、天板の前後方向に関し１本、又は、３本以上設ける形態をとることもできる。
【００２０】
上記において、補強部材1aと同1a´の縁がなす幅ｂの大きさと、天板１に形成するスリット状の溝4b（5b）［及び4a（5a）］の幅ａの大きさは、図７に例示したようにａ＜ｂの関係で形成されている。天板１に形成する溝4a〜5bの幅ａはできる限り細幅（後述するボルトが挿通できる幅）に形成して天板１の強度や見映えなどの点で不都合を少なくするためである。また、補強部材1a，同1a´の断面形状は、図示した例に限られるものではなく、例えば断面三角形状や半円形状など、天板１の強度を高めるものであればよい。しかし、いずれの補強部材1a，1a´の配置においても、天板１のスリット状の溝を前後から挟む態様で配置し、溝を設けることによる天板１の強度低下を補完するように設ける。
【００２１】
図５において、1cは天板１の四周の縁を囲むように形成された折曲げ縁、6aと6bは、天板１の右半側（図２参照、裏返した図５の天板では左半側）に２個形成した廃液チューブ等の挿通用穴である。前記の穴6a，6bの数は、２個に限られず、１個又は３個以上でもよく、また挿通させる部材もチューブに限られず、ケーブルやコード類であってもよい。
【００２２】
上記の天板１に設けた平行なスリット状の溝4a〜5bの構成に対応して、棚装置Ｓにおける左右の側枠フレームsFの下部水平部材７の下面側には、前記の平行な溝4a，4b、同5a，5bとの対向部位に、座付ナット8aと8bが取付けられており、スリット状の溝4aと4b、又は、5aと5bの下側から前記ナット8a，8bへ挿込まれるボルト9aと9bを螺子込んで締結することにより、棚装置Ｓの左右の側枠フレームsFを天板１に形成したスリット状の溝4a，4b、又は、5a，5bの任意の位置に固定することができるのである。従って、棚装置Ｓと溝4a，4b、又は、5a，5bに沿って移動させたいときは、ボルト9a，9bを緩めるか外すかして棚装置Ｓを天板１の左右方向にスライド移動させ、所望の移動位置で、前記ボルト9aと9bを改めてナット8a，8bに締結すれば、棚装置Ｓは、その位置で天板１の上に固定することができる。
【００２３】
本発明では上記例の変形例として、棚装置Ｓにおける側枠フレームsFの下部水平部材７には、下向きにボルト9aと9bを固着して立設しておき、溝4a〜5bを下方へ貫通した前記ボルト9aと9bに、天板１の下面側からナット8aと8bを螺子込んで締結する構造を採ることができる。
【００２４】
また、棚装置Ｓの天板上での移動，固定機構の変形例として、天板１の各溝4a〜5bの下面側に、樋状や断面Ｕ字状のダクト部材（図示せず）を設け、そのダクト部材の中に、天板１の上面に上部が突出する長さを有する上向きの略⊥状をなす座付ボルト（図示せず）を収装しておき、その座付ボルトの上部を天板１の上面側から掴んで棚装置Ｓを位置付けたい溝4a〜5bの所望の位置に移動させ、そこで棚装置Ｓの側枠フレームsFの水平部材７にその上面まで貫通させて設けたボルト穴（図示せず）を上記の座付ボルトの上部に挿込み、水平部材７の上面から突出した当該ボルトにナット8a，8bを締結して、棚装置Ｓを天板１の溝4a〜5bの任意の位置で固定するようにしてもよい。なお、この場合においては、同位相の左右の溝4aと5a、同4bと5bは分断形態ではなく、連続した溝であることが望ましい。
【００２５】
上記のように、天板１に設けられた溝4a〜5bの長さの範囲内で任意の位置を選択して当該天板１の上に固定できる棚装置Ｓは、図８〜図10により説明する落下防止柵を有する棚板sB1とsB2が架装されているので、次にこの点について説明する。
【００２６】
図８〜図10において、平面略矩形の棚板sB1とsB2は、その四隅に短い４本の支柱10を備えており、隣り合う各支柱10の対向面間に、装着高さを変更できる落下防止柵として作用する前後と左右の４本のバー部材11aと11bが架設されている。図８〜図10の例では、棚板sB1とsB2の後部側のバー部材11aのみの上下位置を可変とした構成であるが、前面側と左右側のバー部材11a，11bも上下位置可変とするか否かは、任意である。ここで、棚板後部のバー部材11aのみを上下位置可変としたのは、機器類のケーブルやチューブ等を棚装置Ｓの背面側に導出し易くするためである。
【００２７】
また、図８〜図10の例では、各バー部材11a，11bは、各支柱10の対向面とその反対側の面に貫通して形成したバー部材の挿入穴10aと装着穴10bに、各バー部材11a又は11bを挿入してから嵌め、バー部材11a，11bの一端又は両端をネジ12で各支柱10の対向面の穴10bに固定する構造としたが、バー部材11a，11bの各支柱10に対する取付構造は、図の例に限られるものではなく、他の構造を採用してもよい。図８〜図10において、10cは各バー部材11a，11bの挿入穴10aに嵌めたプラスチック製などのキャップである。
【００２８】
なお、上述した本発明実験台LTにおいて、天板１の上面には、フッ素樹脂塗装による耐薬品性が付与されている。実験台の上では様々な薬品や試料などを使用するので、金属製の天板１は薬品などの腐食成分による化学的腐食が懸念されるからである。この意味で、天板１の上面には、フッ素樹脂塗装のほかに、耐薬品性の材料としてそのような性能を備えたシート材や塗膜材などを、ラミネート，貼着，塗工などの加工手段により設けることがある。
【産業上の利用可能性】
【００２９】
本発明は以上の通りであって、天板の正面から見た左右方向に長溝を形成すると共に、その天板上に載置する棚装置を、前記長溝に対向した当該棚装置の下端部においてその長溝の任意の位置を選択してそこに固定するようにしたから、従来は実験台に固定的にしか設けられていなかった棚装置を、設置する機器等の大きさなどの条件に合せて、天板上の任意の位置に移動した上で固定できるから、従来の実験台では得られなかった固有の効果が得られる。
【図面の簡単な説明】
【００３０】
【図１】本発明実験台の一例の正面図。
【図２】図１の実験台の平面図。
【図３】図１，図２の実験台の右側面図。
【図４】図１の棚装置を天板の中央に移動した例の正面図。
【図５】本発明実験台の天板の裏面側の形態を例示した平面図。
【図６】天板の長溝における棚装置との結合状態を説明するための要部の側断面図。
【図７】図６のＡ部の拡大図。
【図８】本発明実験台に載置した棚装置における棚板の一例の正面図。
【図９】図８の棚板の右側面図。
【図１０】図９のＢ部の拡大側面図。
【符号の説明】
【００３１】
LT        実験台
Ｔ        テーブル部
Ｓ        棚装置
１        天板
２，３    脚部材
4a，4b、5a，5b    スリット状の溝
6a，6b    挿通用穴
７        側枠フレームsFの下部水平部材
8a，8b    座付ナット
9a，9b    ボルト
10        棚板sB1，sB2の四隅の支柱
11a，11b  各支柱に架設した落下防止柵としてのバー部材
【図１】
2006305465.tif 000003
【図２】
2006305465.tif 000004
【図３】
2006305465.tif 000005
【図４】
2006305465.tif 000006
【図５】
2006305465.tif 000007
【図６】
2006305465.tif 000008
【図７】
2006305465.tif 000009
【図８】
2006305465.tif 000010
【図９】
2006305465.tif 000011
【図１０】
2006305465.tif 000012